(57)【特許請求の範囲】
【請求項１】
ガスバーナと、前記ガスバーナによる加熱を制御する制御部と、前記制御部への通電の開始を指令する電源スイッチとを備え、前記制御部への通電状態においてのみ前記ガスバーナによる加熱を行うように構成されたガスコンロであって、
生体認証用入力情報を入力する生体認証器を具備し、使用者の属性を判断するための生体認証を行う生体認証部と、
前記生体認証部に入力された前記生体認証用入力情報と予め登録された生体認証用登録情報とを照合することによって認証された使用者の属性に応じて、当該ガスコンロに対する操作に関する操作権限を規定する情報が格納された操作権限テーブルとを備え、
前記操作権限には、前記電源スイッチの操作によって前記制御部への通電を開始するか否かの権限が含まれているとともに、
前記制御部が、前記ガスバーナによる加熱を開始してから所定の上限時間が経過したときに、前記ガスバーナによる加熱を停止するように構成され、かつ、前記上限時間が、前記属性に応じて設定可能に構成されていること
を特徴とするガスコンロ。
【請求項２】
前記生体認証用登録情報の登録の開始を指令する登録開始手段を備え、前記生体認証器から入力された認証用入力情報が、前記登録開始手段の指令によって、前記生体認証用登録情報として登録されるように構成されていること
を特徴とする請求項１記載のガスコンロ。
【請求項３】
無線中継器を介して、外部機器との無線通信が実行可能に構成され、前記外部機器との前記無線通信によって、前記生体認証用登録情報が登録されるように構成されていることを特徴とする請求項１または２記載のガスコンロ。
【請求項４】
前記生体認証部が指紋によって生体認証を行うものであり、前記生体認証器が、前記電源スイッチを兼ねるように構成されていることを特徴とする請求項１〜３のいずれかに記載のガスコンロ。
【請求項５】
前記電源スイッチの操作によって前記制御部への通電を開始するか否かの前記権限に関わらず、前記電源スイッチの操作によって前記制御部への通電を停止するように構成されていることを特徴とする請求項１〜４のいずれかに記載のガスコンロ。
【請求項６】
前記ガスバーナによる加熱の開始および停止を指令する点火操作部を備え、
前記点火操作部には前記生体認証器が配置されているとともに、
前記操作権限には前記点火操作部の操作によって前記ガスバーナによる加熱を開始するか否かの権限が含まれていること
を特徴とする請求項１〜５のいずれかに記載のガスコンロ。
【請求項７】
ガスバーナと、前記ガスバーナによる加熱を制御する制御部と、前記制御部への通電の開始を指令する電源スイッチとを備え、前記制御部への通電状態においてのみ前記ガスバーナによる加熱を行うように構成されたガスコンロであって、
生体認証用入力情報を入力する生体認証器を具備し、使用者の属性を判断するための生体認証を行う生体認証部と、
前記生体認証部に入力された前記生体認証用入力情報と予め登録された生体認証用登録情報とを照合することによって認証された使用者の属性に応じて、当該ガスコンロに対する操作に関する操作権限を規定する情報が格納された操作権限テーブルとを備え、
前記操作権限には、前記電源スイッチの操作によって前記制御部への通電を開始するか否かの権限が含まれているとともに、
前記ガスバーナによる加熱の開始および停止を指令する点火操作部を備え、
前記点火操作部には前記生体認証器とは別の、生体認証用入力情報を入力する第２の生体認証器が配置されており、
前記第２の生体認証器は前記生体認証器と同様に、前記生体認証部に対して前記生体認証用入力情報を入力する生体認証器として機能するように構成されているとともに、
前記操作権限には前記点火操作部の操作によって前記ガスバーナによる加熱を開始するか否かの権限が含まれていること
を特徴とするガスコンロ。
【発明の詳細な説明】
【技術分野】
【０００１】
本発明は、ガスコンロに関し、詳しくは、使用を制限したい対象である使用制限対象者の学習によって、その効果が損なわれることがないガスコンロに関する。
【背景技術】
【０００２】
煮物や揚げ物などの調理や、肉や魚などの被調理物を焼いたりする料理などに用いられるガスコンロや、ガスグリルなどのガス調理器として、近年、幼児などの使用を制限することができる機能を備えたガス調理器が提案されている。
【０００３】
そして、特許文献１には、そのようなガス調理器（ガスコンロ）として、幼児などに対し、加熱部の加熱動作を禁止する、いわゆるチャイルドロック機能を作動させたモードであるチャイルドロックモードを有するとともに、チャイルドロックモードに移行する際に操作されるチャイルドロックスイッチを備えた加熱調理器が提案されている（段落００９９など参照）。
【０００４】
この特許文献１の加熱調理器によれば、チャイルドロックスイッチを操作してチャイルドロックモードに移行すると、加熱部の加熱動作、つまり、コンロバーナやグリルバーナなどのガスバーナの燃焼が禁止されるので、幼児のいたずらなどによってガスバーナの燃焼が実行されてしまうことを防止することが可能になり、安全性を向上させることができて有意義である。
【先行技術文献】
【特許文献】
【０００５】
【特許文献１】特開２０１３−１１３７６号公報
【発明の概要】
【発明が解決しようとする課題】
【０００６】
しかしながら、ガスコンロなどの加熱調理器の使用を制限したい対象者である幼児は、チャイルドロックの解除方法を容易に学習してしまうため、チャイルドロック機能を備えた加熱調理器であっても、チャイルドロックモードが幼児などの使用を制限したい対象者により解除され、コンロバーナやグリルバーナなどのガスバーナの燃焼が実行されてしまう場合があるのが実情である。
【０００７】
本発明は、上記の課題を解決するものであり、ガスコンロの使用を制限したい対象である幼児などの使用制限対象者の学習によって使用制限効果の損なわれるおそれのない使用制限モードを備えた、安全で信頼性の高いガスコンロを提供することを目的とする。
【課題を解決するための手段】
【０００８】
上記の目的を達成するために、本発明のガスコンロは、
ガスバーナと、前記ガスバーナによる加熱を制御する制御部と、前記制御部への通電の開始を指令する電源スイッチとを備え、前記制御部への通電状態においてのみ前記ガスバーナによる加熱を行うように構成されたガスコンロであって、
生体認証用入力情報を入力する生体認証器を具備し、使用者の属性を判断するための生体認証を行う生体認証部と、
前記生体認証部に入力された前記生体認証用入力情報と予め登録された生体認証用登録情報とを照合することによって認証された使用者の属性に応じて、当該ガスコンロに対する操作に関する操作権限を規定する情報が格納された操作権限テーブルとを備え、
前記操作権限には、前記電源スイッチの操作によって前記制御部への通電を開始するか否かの権限が含まれているとともに、
前記制御部が、前記ガスバーナによる加熱を開始してから所定の上限時間が経過したときに、前記ガスバーナによる加熱を停止するように構成され、かつ、前記上限時間が、前記属性に応じて設定可能に構成されていること
を特徴としている。
【０００９】
本発明のガスコンロにおいては、前記生体認証用登録情報の登録の開始を指令する登録開始手段を備え、前記生体認証器から入力された認証用入力情報が、前記登録開始手段の指令によって、前記生体認証用登録情報として登録されるように構成されていることが好ましい。
【００１０】
また、無線中継器を介して、外部機器との無線通信が実行可能に構成され、前記外部機器との前記無線通信によって、前記生体認証用登録情報が登録されるように構成されていることが好ましい。
【００１１】
また、前記生体認証部が指紋によって生体認証を行うものであり、前記生体認証器が、前記電源スイッチを兼ねるように構成されていることが好ましい。
【００１２】
また、前記電
源スイッチの操作によって前記制御部への通電を開始するか否かの前記権限に関わらず、前記電源スイッチの操作によって前記制御部への通電を停止するように構成されていることが好ましい。
【００１３】
また、前記ガスバーナによる加熱の開始および停止を指令する点火操作部を備え、
前記点火操作部には前記生体認証器が配置されているとともに、
前記操作権限には前記点火操作部の操作によって前記ガスバーナによる加熱を開始するか否かの権限が含まれていること
が好ましい。
【００１４】
また、本発明にかかる他のガスコンロは、
ガスバーナと、前記ガスバーナによる加熱を制御する制御部と、前記制御部への通電の開始を指令する電源スイッチとを備え、前記制御部への通電状態においてのみ前記ガスバーナによる加熱を行うように構成されたガスコンロであって、
生体認証用入力情報を入力する生体認証器を具備し、使用者の属性を判断するための生体認証を行う生体認証部と、
前記生体認証部に入力された前記生体認証用入力情報と予め登録された生体認証用登録情報とを照合することによって認証された使用者の属性に応じて、当該ガスコンロに対する操作に関する操作権限を規定する情報が格納された操作権限テーブルとを備え、
前記操作権限には、前記電源スイッチの操作によって前記制御部への通電を開始するか否かの権限が含まれているとともに、
前記ガスバーナによる加熱の開始および停止を指令する点火操作部を備え、
前記点火操作部には前記生体認証器とは別の、生体認証用入力情報を入力する第２の生体認証器が配置されており、
前記第２の生体認証器は前記生体認証器と同様に、前記生体認証部に対して前記生体認証用入力情報を入力する生体認証器として機能するように構成されているとともに、
前記操作権限には前記点火操作部の操作によって前記ガスバーナによる加熱を開始するか否かの権限が含まれていること
を特徴としている。
【発明の効果】
【００１５】
本発明のガスコンロは、上述のように構成されており、生体認証用入力情報を入力する生体認証器を具備し、使用者の属性を判断するための生体認証を行う生体認証部と、生体認証部に入力された生体認証用入力情報と予め登録された生体認証用登録情報とを照合することによって認証された使用者の属性に応じて、当該ガスコンロに対する操作に関する操作権限を規定する情報が格納された操作権限テーブルとを備えるとともに、操作権限が、電源スイッチの操作によって制御部への通電を開始するか否かの権限を含むようにしているので、生体認証部によって認証された使用者の属性が、電源スイッチの操作によって制御部への通電を開始させたくない使用者の属性である場合、その使用者の属性に対応する操作権限テーブルに、その使用者の属性に対応させて、電源スイッチが操作されても制御部への通電を開始しない旨の情報を格納しておくことによって、当該使用者によりガスコンロの加熱が実行されてしまうことを制限することができる。また、生体認証により使用者を認証するようにしているため、使用を制限する対象となる対象者の学習によってその効果が損なわれることがなく、信頼性の高い使用制限モードを備えた安全なガスコンロを実現することができる。
【００１６】
また、制御部が、ガスバーナによる加熱を開始してから所定の上限時間が経過したときに、ガスバーナによる加熱を停止し、かつ、上限時間が、属性に応じて設定することができるように構成されているので、使用者の属性に応じて上限時間を設定することができて利便性が高く、安全性の高いガスコンロを提供することができる。例えば、使用制限対象者が、主たる使用者と同居する年少者や高齢者である場合のように、小容量のやかんによる湯沸しや、雪平鍋によるインスタントラーメンの調理などの比較的短時間の使用しか想定されないような場合において、ガスコンロを使用する場合の上限時間を短く設定することで、不要な長時間の使用を防止することが可能になり、安全性を向上させることができる。
【００１７】
本発明のガスコンロにおいて、生体認証用登録情報の登録の開始を指令する登録開始手段を備え、生体認証器から入力された認証用入力情報を、登録開始手段の指令によって、生体認証用登録情報として登録するようにした場合、生体認証用登録情報を登録するための入力装置を別途設ける必要がないので、製造コストの増大を抑制しつつ、信頼性の高い使用制限モードを備えた安全なガスコンロを提供することができる。
【００１８】
また、無線中継器を介して、外部機器との無線通信が実行可能に構成され、外部機器との無線通信によって、生体認証用登録情報が登録されるように構成した場合、例えば、スマートフォンなどで読み込んだ指紋などの生体認証情報を無線中継器（ネットワーク）経由でガスコンロに登録したり、変更または消去したりすることが可能になり、安全性と利便性の両方に優れたガスコンロを実現することができる。
【００１９】
また、生体認証部を指紋によって生体認証を行うものとし、生体認証器を、電源スイッチを兼ねるように構成した場合、部品点数を減らして省スペース化を図ることが可能で、かつ、外観意匠を構成する場合のレイアウトの自由度の高いガスコンロを実現することが可能になる。
【００２０】
また、電源スイッチの操作によって制御部への通電を開始するか否かの権限に関わらず、電源スイッチの操作によって制御部への通電を停止するように構成した場合、誰が電源スイッチを操作した場合にも制御部への通電が停止され、誰でもガスバーナによる加熱を停止することが可能な、より安全性の高いガスコンロを得ることが可能になる。
【００２１】
また、ガスバーナによる加熱の開始および停止を指令する点火操作部を備え、点火操作部に生体認証器を配置するとともに、操作権限に点火操作部の操作によってガスバーナによる加熱を開始するか否かの権限が含まれるようにした場合、生体認証部によって認証された使用者の属性が、点火操作部の操作によってガスバーナによる加熱を開始させたくない使用者の属性であるときに、使用者の属性に対応する操作権限テーブルに、点火操作部が操作されてもガスバーナによる加熱を開始しない旨の情報を格納しておくことにより、当該使用者が点火操作部を操作してガスバーナの加熱を開始することが制限されるため、一層安全なガスコンロを実現することができる。
【００２２】
また、本発明にかかる他のガスコンロは、生体認証用入力情報を入力する生体認証器を具備し、使用者の属性を判断するための生体認証を行う生体認証部と、生体認証部に入力された生体認証用入力情報と予め登録された生体認証用登録情報とを照合することによって認証された使用者の属性に応じて、当該ガスコンロに対する操作に関する操作権限を規定する情報が格納された操作権限テーブルとを備え、操作権限には、電源スイッチの操作によって制御部への通電を開始するか否かの権限が含まれているとともに、点火操作部に生体認証器とは別の、生体認証用入力情報を入力する第２の生体認証器を配置し、第２の生体認証器に、上述の生体認証器と同様に、生体認証部に対して生体認証用入力情報を入力する生体認証器としての機能を持たせるとともに、操作権限に点火操作部の操作によってガスバーナによる加熱を開始するか否かの権限が含まれるように構成されているので、制御部に通電が行われた状態における、生体認証部によって認証された使用者の属性が、点火操作部の操作によってガスバーナによる加熱を開始させたくない使用者の属性であるときに、当該使用者の属性に対応する操作権限テーブルに、その使用者の属性に対応させて、点火操作部が操作されてもガスバーナによる加熱を開始しない旨の情報を格納しておくことにより、当該使用者が点火操作部の操作によってガスバーナによる加熱を開始することが制限され、一層安全なガスコンロを実現することができる。
【００２３】
なお、点火操作部に第２の生体認証器を配置することにより、点火操作部を操作する際に、第２の生体認証器により点火操作と同時に生体認証を行うことが可能になり、使い勝手が良好で、しかも安全なガスコンロを提供することができるようになる。
【図面の簡単な説明】
【００２４】
【図１】本発明の一実施形態にかかるガスコンロの斜視図である。
【図２】本発明の一実施形態にかかるガスコンロと、外部機器との無線通信の概要を示す図である。
【図３】本発明の他の実施形態にかかるガスコンロと、外部機器との無線通信の概要を示す図である。
【発明を実施するための形態】
【００２５】
以下、本発明の実施形態を示して、その特徴とするところをさらに詳しく説明する。
【００２６】
［実施形態］
図１は、本発明の一実施形態にかかるガスコンロ１００の斜視図である。図１に示すように、この実施形態にかかるガスコンロ１００は、コンロ本体Ｈの上面部に、左右一対のガスバーナ（コンロバーナ）１を備え、コンロ本体Ｈの内部にグリルＧを備えている。
また、コンロ本体Ｈの前面には、グリル扉８が設けられている。
【００２７】
なお、このガスコンロ１００は、キッチンカウンタに形成したコンロ装着口に上方から挿入して組付ける、いわゆるビルトインタイプとして構成されており、コンロ本体Ｈの上部の周縁部には、キッチンカウンタに載置する鍔部が形成されている。
【００２８】
コンロ本体Ｈの上部には、ガラス製の天板２が装備され、天板２の後部側箇所には、グリルＧの調理排気を排出するためのグリル排気口３が形成されている。
【００２９】
また、天板２の上部には、ガスバーナ１にて加熱される鍋などの被加熱物を載置するための五徳４が、左右のガスバーナ１のそれぞれに対応して設けられている。
【００３０】
なお、ガスバーナ１の中央部には、図１に示すように、鍋などの被加熱物の存在および被加熱物の底壁温度を検出する温度センサ１Ａが設けられている。
【００３１】
コンロ本体Ｈの上部に装備した天板２の手前側箇所には、左右のガスバーナ１のそれぞれに対する左右一対のコンロ用操作具（点火操作部）５が、上方に離脱させることができるように設けられており、コンロ本体Ｈの前面部の右側箇所には、グリルＧに対するグリル用設定操作部６が、下方側を支点にした前後揺動により開閉することができるように設けられている。なお、図１は、グリル用設定操作部６が開いた状態を示している。
【００３２】
ちなみに、一対のコンロ用操作具（点火操作部）５のそれぞれは、前後や左右のスライド操作および左右の回転操作により、点火および消火の指令、目標火力の指令、目標温度に維持する自動温度調理の指令など、各種の指令情報を指令するように構成されている。
【００３３】
グリル用設定操作部６は、複数の指令スイッチを備えて、それらの複数の指令スイッチの操作により、後述する加熱調理用のグリル加熱手段としてのグリルバーナ（図示せず）に対する点火および消火の指令、目標火力の指令、調理モードの指令など、各種の指令情報を指令するように構成されている。
また、ガスバーナ（コンロバーナ）１およびグリルバーナによる加熱は、制御部（図示せず）によって制御される。
【００３４】
そして、ガスバーナ（コンロバーナ）１およびグリルバーナによる加熱は、制御部への通電状態においてのみ実行されるよう構成されている。
【００３５】
また、このガスコンロ１００は、制御部への通電に関し、後述する電源スイッチの操作によって、制御部への通電の開始が指令されるように構成されている。
【００３６】
＜特徴的構成＞
次に、本発明の実施形態にかかるガスコンロ１００の特徴的な構成について説明する。
【００３７】
この実施形態にかかるガスコンロ１００の天板２には、生体認証部（図示せず）の一部を構成する生体認証器１１０が配設されている。なお、この実施形態のガスコンロ１００においては、生体認証器１１０が、電源スイッチとしても機能するように構成されており、生体認証器１１０が、電源スイッチを兼用している。
【００３８】
使用者が生体認証器１１０に手指を触れることにより、生体認証器１１０が手指の指紋に関する情報を読み取り、この手指の指紋に関する情報が認証用入力情報として生体認証部（図示せず）に入力される。
【００３９】
すなわち、この実施形態にかかるガスコンロ１００においては、生体認証器１１０が、生体認証部に認証用入力情報を入力する入力部として機能するように構成されており、この生体認証器１１０が生体認証部の一部を構成する。生体認証部は、認証用入力情報に基づいて、使用者の属性を判断するための生体認証を行う。
【００４０】
また、この実施形態のガスコンロ１１０は、生体認証部に入力された生体認証用入力情報と、予め登録された生体認証用登録情報とを照合することによって認証された使用者の属性に応じて、当該ガスコンロ１００に対する操作に関する操作権限を規定する情報が格納された操作権限テーブル（図示せず）を備えている。
【００４１】
さらに、上記操作権限には、生体認証器１１０が兼ねる電源スイッチの操作によって制御部への通電を開始するか否かの権限が含まれている。
つまり、上記操作権限に、生体認証器１１０が兼ねる電源スイッチによって制御部への通電を開始するか否かの権限を含むので、操作権限テーブルに、ガスコンロの使用を制限したい使用者の属性に対応させて、電源スイッチが操作されても制御部への通電を開始しない旨の情報を格納しておくことにより、当該使用者がガスコンロによる加熱を行うことが制限され、安全性が向上する。
また、生体認証による認証方法を用いているため、使用制限対象者の学習によって使用を制限する効果（使用制限効果）が損なわれることのない、信頼性の高い使用制限モードを備えた安全なガスコンロを実現することができる。
【００４２】
なお、この実施形態では、上述のように、生体認証器１１０が、電源スイッチを兼用しており、使用者が生体認証器１１０に手指を触れると、生体認証器１１０が手指の指紋に関する情報を読み取り、この手指の指紋に関する情報が認証用入力情報として生体認証部に入力され、生体認証用登録情報と照合され、生体認証部によって認証された使用者の属性が、電源スイッチの操作によって制御部への通電を開始できる旨登録された使用者の属性である場合、制御部への通電を開始する。
【００４３】
この実施形態のガスコンロ１００においては、上述のように、生体認証器１１０が電源スイッチを兼用しているので、電源スイッチを操作する際に生体認証が行われるため使い勝手がよく、また、省スペース化を図ることができる。また、外観意匠を構成する場合のレイアウトの自由度の高いガスコンロを実現することができる。
【００４４】
なお、生体認証器１１０が電源スイッチを兼用するようにした構成は任意の構成であり、生体認証器１１０と別に電源スイッチを設けるようにしてもよい。
【００４５】
また、この実施形態のガスコンロ１００は、生体認証用登録情報の登録の開始を指令する登録開始手段（図示せず）を備えている。そして、生体認証器１１０から入力された認証用入力情報が、登録開始手段の指令によって、生体認証用登録情報として登録されるように構成されている。
【００４６】
上述のように、生体認証器１１０から入力された認証用入力情報が、登録開始手段の指令によって、生体認証用登録情報として登録されるように構成した場合、生体認証器１１０を用いて生体認証用登録情報を登録できるので、生体認証用登録情報を登録するための入力装置を別途設ける必要がなく、省スペース化と製造コストの低減を図ることができる。
【００４７】
なお、生体認証器１１０から入力された認証用入力情報が、登録開始手段の指令によって、生体認証用登録情報として登録されるようにした構成は任意の構成であり、別の構成によって生体認証用登録情報が登録されるようにすることも可能である。
【００４８】
また、この実施形態のガスコンロ１００は、図２に示すように、例えば無線ルータなどの無線中継器３Ｘを介して、スマートフォンなどの外部機器２Ｘとの無線通信を実行することが可能な通信経路Ｘを有する通信システムＳを備えた構成とするとともに、スマートフォンなどの外部機器２Ｘとの無線通信によって、生体認証用登録情報を生体認証部に登録できるように構成することも可能である。
【００４９】
このように構成した場合、たとえば、スマートフォンなどの外部機器２Ｘで読み込んだ指紋などの生体認証情報を無線中継器３Ｘ経由でガスコンロ１００の生体認証部に登録したり、変更または消去したりすることが可能になり、使い勝手の良好なガスコンロ１００を提供することができる。
【００５０】
なお、無線ルータなどの無線中継器３Ｘを介して、スマートフォンなどの外部機器２Ｘとの無線通信が実行可能で、スマートフォンなどの外部機器２Ｘとの無線通信によって、生体認証用登録情報を生体認証部に登録できるようにした構成は任意の構成であり、無線中継器３Ｘを介してスマートフォンなどの外部機器２Ｘとの無線通信を可能とした構成を備えなくてもよい。
【００５１】
また、この実施形態のガスコンロ１００の場合、ガスバーナ１による加熱を開始してから所定の上限時間が経過したときに、制御部がガスバーナ１による加熱を停止するように構成することも可能であり、さらに、上記上限時間が使用者の属性に応じて設定可能に構成することも可能である。
【００５２】
このように構成した場合、例えば、使用制限対象者が、主たる使用者と同居する年少者や高齢者である場合のように、小容量のやかんによる湯沸しや、雪平鍋によるインスタントラーメンの調理などの比較的短時間の使用しか想定されない場合において、ガスコンロ１００を使用する場合の上限時間を短く設定することで、不要な長時間の使用を防止することが可能になり、安全性をさらに向上させることができる。
【００５３】
また、この実施形態のガスコンロ１００の場合、電源スイッチの操作によって制御部への通電を開始するか否かの権限に関わらず、電源スイッチの操作によって制御部への通電を停止するように構成することができる。このように構成した場合、電源スイッチの操作によって制御部への通電を開始するか否かの権限に関わらず、誰でもが電源スイッチの操作によって制御部への通電を停止してガスバーナによる加熱を停止することができるため、さらに安全なガスコンロを実現することが可能になる。
【００５４】
ただし、上記構成は任意のものであり、ガスバーナによる加熱中において、不用意な加熱の停止を避けるために、電源スイッチの操作によって制御部への通電を開始する権限を有する使用者が操作した場合にのみ、電源スイッチの操作によって制御部への通電を停止することができるように構成してもよい。
【００５５】
［別実施形態］
（１）上記実施形態では、天板２に生体認証器１１０を設けた場合について説明したが、天板２ではなく、コンロ用操作具（点火操作部）５上に生体認証器１１０を設け、上記操作権限に、コンロ用操作具（点火操作部）５の操作によってガスバーナ１による加熱を開始するか否かの権限を含ませるように構成してもよい。
【００５６】
その場合、生体認証部によって認証された使用者の属性が、コンロ用操作具（点火操作部）５の操作によってガスバーナ１による加熱を開始させたくない使用者の属性であるときに、使用者の属性に対応する操作権限テーブルに、その使用者の属性に対応させて、コンロ用操作具（点火操作部）５が操作されてもガスバーナ１による加熱を開始しない旨の情報を格納しておくことにより、当該使用者がコンロ用操作具（点火操作部）５を操作してガスバーナ１の加熱を開始することを制限することが可能になり、一層安全なガスコンロを提供することができる。
【００５７】
（２）上記実施形態では、天板２に一つの生体認証器１１０を備えるガスコンロ１１０について説明したが、天板２に備える生体認証器１１０に加えて、コンロ用操作具（点火操作部）５に生体認証用入力情報を生体認証部に入力する第２の生体認証器（図示せず）を配置し、上記操作権限に、コンロ用操作具（点火操作部）５の操作によってガスバーナ１による加熱を開始するか否かの権限を含むように構成してもよい。このように構成したときには、使用者の属性が、制御部に通電が行われた状態におけるコンロ用操作具（点火操作部）５の操作によってガスバーナ１による加熱を開始させたくない使用者の属性である場合、使用者の属性に対応する操作権限テーブルに、その使用者の属性に対応させて、コンロ用操作具（点火操作部）５が操作されてもガスバーナ１による加熱を開始しない旨の情報を格納しておくことにより、使用が制限されるべき使用者がコンロ用操作具（点火操作部）５を操作してガスバーナ１による加熱を開始してしまうことが制限され、安全性が確保される。
【００５８】
（３）上記実施形態のガスコンロ１００では、図２における通信経路Ｘで示されるように、無線ルータなどの無線中継器３Ｘを介して、スマートフォンなどの外部機器２Ｘとガスコンロ１００の間の無線通信が可能になるように構成したが、図２に示したような無線中継器３Ｘを介さずに、上述の通信経路Ｘとは異なる、図３に示すような通信経路Ｙで、スマートフォンなどの外部機器２Ｘとガスコンロ１００との無線通信が可能になるように構成してもよい。このように構成した場合にも、スマートフォンなどの外部機器２Ｘとの無線通信によって、生体認証用登録情報の登録を行うことができる。
【００５９】
（４）また、上記実施形態では、指紋による生体認証を行うように構成しているが、生体認証を指紋以外によって行うように構成してもよい。なお、生体認証を指紋以外によって行う場合、当該機器がガスコンロであるということに鑑みて、指静脈形状により行うことが好ましい。
【００６０】
因みに、生体認証の方法としては、掌静脈パターンを用いる方法も可能ではあるが、生体認証器の配置に必要なスペース的な観点からは、掌静脈パターンにより生体認証を行う方法は好ましくない。また、生体認証は使用者の音声で行うことも可能ではあるが、ガスコンロとともに使用されることが予想されるレンジフードが発する動作音を考慮すると、声紋により生体認証を行うことは好ましくない。さらには、上述の点やガスコンロがガスバーナを備えている点などを考慮すると、網膜、虹彩、耳紋、顔のパターンなどによって生体認証を行う方法もあまり好ましくない。
【００６１】
本発明は、さらにその他の点においても上記実施形態に限定されるものではなく、本発明の範囲内において種々の変形を加えることが可能である。
【符号の説明】
【００６２】
１          左右一対のガスバーナ
１Ａ        温度センサ
２          天板
３          グリル排気口
４          五徳
５          左右一対のコンロ用操作具
６          グリル用設定操作部
８          グリル扉
１００      ガスコンロ
１１０      生体認証器（電源スイッチ）
Ｇ          グリル
Ｈ          コンロ本体
Ｓ          通信システム
Ｘ          通信経路
２Ｘ        スマートフォンなどの外部機器
３Ｘ        無線中継器
Ｙ          異なる通信経路
【図１】
0006711696.tif 000002
【図２】
0006711696.tif 000003
【図３】
0006711696.tif 000004